(57)【要約】      （修正有）【課題】応答性常磁性ＣＥＳＴ造影剤を使用して、物理的又は化学的なパラメータのinvivo又はinvitroの測定のためのＣＥＳＴ手順に基づく方法を提供する。【解決手段】飽和能が重要な物理的又は化学的なパラメータと相関している交換可能プロトンを少なくとも１つ含む応答性常磁性ＣＥＳＴ造影剤が利用され、調査される器官又は組織における該パラメータに対して応答性のＣＥＳＴＭＲ画像が表示される。使用する常磁性造影剤は応答性薬剤、即ち、ＣＥＳＴ剤の特徴的な特質を、診断的に重要な物理的又は化学的なパラメータに対して感受性であるという事実と組み合わせた薬剤である。従って、造影剤は水媒体プロトンとの化学交換における可動プロトンを少なくとも１つ含み、かつ該交換可能プロトンの共鳴周波数で適切な高周波印加磁場が適用された場合に、該可動プロトンと水媒体プロトンとの間の飽和移動（ＳＴ）効果を生成させることができる。【選択図】図４
2010088901.tif 000002
【特許請求の範囲】
【請求項１】
ヒト又は動物の身体器官、体液又は組織における物理学的又は化学的なパラメータのＣＥＳＴ  ＭＲＩ技術の使用による測定方法であって：
−  その飽和能が重要な物理学的又は化学的なパラメータと相関している交換可能プロトンを少なくとも１つ含む応答性常磁性ＣＥＳＴ造影剤が利用され、
−  該パラメータに対して応答性のＣＥＳＴ  ＭＲ画像が表示される、方法。
【請求項２】
ＣＥＳＴ造影剤が、磁気的に非等価な可動プロトンのプールを少なくとも２つ含む、請求項１の方法。
【請求項３】
測定がin vitro又はex vivoで実施される、請求項１の方法。
【請求項４】
測定がin vivoで実施される、請求項２の方法。
【請求項５】
重要なパラメータが、温度、pH、代謝産物濃度、Ｏ2又はＣＯ2の分圧及び酵素活性より選択される、請求項１の方法。
【請求項６】
応答性常磁性ＣＥＳＴ造影剤が、キレート配位子が、窒素原子、酸素原子、硫黄原子もしくはリン原子に結合した可動プロトンを少なくとも１つ含有している有機配位子であり、かつ常磁性イオンが、鉄（II）（高スピン）、鉄（III）、コバルト（II）、銅（II）、ニッケル（II）、プラセオジム（III）、ネオジム（III）、ジスプロシウム（III）、エルビウム（III）、テルビウム（III）、ホルミウム（III）、ツリウム（III）、イッテルビウム（III）及びユーロピウム（III）からなる群より選択される常磁性キレート化合物又はそれらの生理学的に許容される塩を含む、請求項１及び２の方法。
【請求項７】
常磁性キレート錯体が、常磁性中心に配位した水分子を含む、請求項６の方法。
【請求項８】
ＣＥＳＴ造影剤中の可動プロトンが、キレート配位子のアミド基に属するか、又は常磁性キレート錯体の金属結合水プロトンである、請求項７の方法。
【請求項９】
キレート配位子が、１，４，７，１０−テトラアザシクロドデカン−１，４，７，１０−四酢酸（ＤＯＴＡ）のテトラ−アミド誘導体若しくは１，４，７，１０−テトラアザシクロドデカン−１，４，７−三酢酸（ＤＯ３Ａ）のトリス−アミド誘導体又はヘキサ−アザ−マクロ二環式サルコファジン（３，６，１０，１３，１６，１９−ヘキサアザビシクロ［６．６．６］エイコサン）の誘導体である、請求項６〜８の方法。
【請求項１０】
ＣＥＳＴ造影剤が、２つの磁気的に非等価な可動プロトンのプールの両方を賦与された単一の常磁性錯化合物、又はその生理学的に許容される塩を含む、請求項２の方法。
【請求項１１】
ＣＥＳＴ造影剤が、異なる可動プロトンのプールを各々提供する、同じ体内分布パターンを有する２つの常磁性錯化合物を含む、請求項２の方法。
【請求項１２】
キレート配位子が、式（Ｉ）：
【化１】
2010088901.tif 000026
［式中：
【化２】
2010088901.tif 000027
］の化合物又は式（II）：
【化３】
2010088901.tif 000028
［式中：
＊Ｒ＝Ｒ’＝−ＮＯ2］の化合物である、請求項９の方法。
【請求項１３】
可動プロトンが、第一のものは単量体性キレート配位子のアミド基に属し、そして第二のものは金属配位水分子に属する、請求項１０の方法。
【請求項１４】
可動プロトンが、第一のものは配位アミド基に属し、そして第二のものはキレート配位子Ａ、Ｃ、Ｄ、Ｅ、Ｆ、Ｇ、Ｈ、ＬのＥｕ（III）錯体の金属結合水プロトンに属する、請求項１３の方法。
【請求項１５】
単一の常磁性錯化合物が、２つの異なるＬｎ（III）金属イオンとキレート化した、同一であってもよいし又は異なっていてもよい２つのキレート単位を含む二量体性キレート配位子を含む、請求項１０の方法。
【請求項１６】
キレート錯体が［Ｅｕ−Ｙｂ（ｂｉｓＤＯＴＡＭＧＬｙ）］である、請求項１５の方法。
【請求項１７】
ＣＥＳＴ造影剤が、場合によりＹｂ（III）ＤＯＴＡＭ−Ｇｌｙ又はＴｍ（III）−ＤＯＴＡＭ−Ｇｌｙと共に、Ｅｕ（III）ＤＯＴＡＭ−Ｇｌｙを含む、請求項１１の方法。
【請求項１８】
水媒体プロトンとの化学交換における可動プロトンを少なくとも１つ含み、かつ該交換可能プロトンの共鳴周波数で適切な高周波ｒｆ印加磁場が適用された場合に、診断的に重要な物理学的もしくは化学的なパラメータにのみ感受性の、該可動プロトンと水プロトンとの間の飽和移動効果を生成させることができる常磁性キレート化錯体又はその生理学的に許容される塩を含むＣＥＳＴ造影剤を、生理学的に容認される担体と共に含む医薬組成物。
【請求項１９】
ＣＥＳＴ造影剤が、磁気的に非等価な可動プロトンのプールを少なくとも２つ含む常磁性キレート化錯体、もしくは異なる可動プロトンのプールを各々提供する、同じ体内分布パターンを有する２つの常磁性キレート化錯体、又はそれらの生理学的に許容される塩を含有している、請求項１８の医薬組成物。
【請求項２０】
１〜３０の範囲のモル比で２つの常磁性錯体を含む、請求項１９の医薬組成物。
【請求項２１】
２つの常磁性錯体が、１〜５の範囲のモル比で存在する、請求項２０の医薬組成物。
【請求項２２】
場合によりＹｂ−ＤＯＴＡＭ−Ｇｌｙ又はＴｍ−ＤＯＴＡＭ−Ｇｌｙと共に、Ｅｕ（III）−ＤＯＴＡＭ−Ｇｌｙを含む、請求項１９〜２１の医薬組成物。
【請求項２３】
ＣＥＳＴ  ＭＲＩの使用によるヒト又は動物の身体器官、体液又は組織における該パラメータの測定のための医薬組成物の調製のための、水媒体プロトンとの化学交換における可動プロトンを少なくとも１つ賦与されており、かつ該交換可能プロトンの共鳴周波数で適切な高周波ｒｆが適用された場合に、診断的に重要な物理学的又は化学的なパラメータに関連した、該可動プロトンと水プロトンとの間の飽和移動効果を生成させることができる常磁性キレート錯体を含むＣＥＳＴ常磁性造影剤の使用。
【請求項２４】
ＤＯＴＡＭｉｄｒａｚｉｄｅ、鉄（II）（高スピン）、鉄（III）、コバルト（II）、銅（II）、ニッケル（II）、プラセオジム（III）、ネオジム（III）、ジスプロシウム（III）、エルビウム（III）、テルビウム（III）、ホルミウム（III）、ツリウム（III）、イッテルビウム（III）及びユーロピウム（III）からなる群より選択された常磁性金属イオンとのそのキレート錯体；（ｂｉｓＤＯＴＡＭＧＬｙ）二量体性キレート配位子、及び上記の群の遷移金属イオン又はＬｎ（III）金属イオン２個とのそのキレート化錯体、並びにそれらの生理学的に許容される塩の中で選択された化合物。
【発明の詳細な説明】
【技術分野】
【０００１】
本発明は、少なくとも１つのＣＥＳＴ応答性常磁性造影剤の使用を含む、診断的に重要な物理学的又は化学的なパラメータのin vivo、ex vivo又はin vitroの測定のためのＣＥＳＴ手順に基づく方法に関するものである。
【０００２】
発明の背景
磁気共鳴画像法（ＭＲＩ）の可能性が、造影剤（ＣＡ）、即ち組織プロトンの緩和速度の著しい変化を促進することができる化学物質の投与と併せて、この診断モダリティが適用された場合に、さらに増強され得ることは、現在よく確立されている。画像に対して及ぼす主要な効果によって、ＣＡは、陽性剤又は陰性剤に分類される。陽性ＣＡは、その配位圏内の水分子の交換によってバルク水の緩和速度に影響を与える、主としてＧｄ（III）イオン又はＭｎ（II）イオンを含有している常磁性錯体に代表される（Caravan Pら Chem Rev 1999, 99: 2293-2352；医学的磁気共鳴画像法における造影剤の化学（the Chemistry of Contrast Agents in Medical Magnetic Resonance Imaging）、Chichester, UK: John Wiley&Sons;2001年 45〜120頁）。Ｔ1及びＴ2に対するそれらの効果は類似しているが、通常、ほとんどの生物学的組織においてＴ1はＴ2より有意に長く、それらの効果は、より多くの場合、Ｔ1強調画像において活用され、従って画像中により明るいスポットをもたらす。
【０００３】
対照的に、陰性ＣＡは、Ｔ2強調画像において、Ｔ2を短縮させ、水信号を縮小させることにより改良されたコントラストを得るために使用される。
【０００４】
さらに、可動プロトンを含有している化学物質が、交換過程を介した水プロトン緩和時間の縮小によってＴ2剤として機能し得ることが初期に報告された（Aime Sら、Invest Radiol 1988; 23(Suppl 1): S267〜S2706）。
【０００５】
効率的に水信号を縮小させるための異なる方式は、それを飽和している交換可能プロトンの共鳴周波数において、適切な高周波パルス（ｒｆ）が適用された場合に起こる。これは、飽和移動（saturation transfer）効果によるバルク水信号強度の正味の減少をもたらす。
【０００６】
この代替的なＭＲＩコントラスト増強技術は、化学交換依存性飽和移動（Chemical Exchange Dependent Saturation Transfer）（ＣＥＤＳＴ、又はより一般的にはＣＥＳＴ）と命名されている（Balaban RS.: Young IR編、医用磁気共鳴画像法及び分光法の方法（Methods in Biomedical Magnetic Resonance Imaging and Spectroscopy）、Chichester, UK: John Wiley& Sons; 2000年 第1巻 661〜6667頁）。
【０００７】
この技術のための適切な造影剤は、化学的に交換可能なプロトンを少なくとも１つ含む。
【０００８】
ほとんどの先行技術の造影剤（従来のＴ1及びＴ2を縮小させるＭＲＩ造影剤、又はＣＥＳＴ剤）の効力は、投与された錯化合物の異なる細胞取り込み、又は標的とされた器官もしくは組織の細胞外空間における異なる分布に関連している。標的と周辺組織との間で取り込みが類似している場合、コントラストは検出可能でない。
【０００９】
さらに、先行技術の造影剤は、標的とされた組織又は器官の画像の作製に特別に向けられたものであり、一般に、生理学的／病理学的な状態の定量的評価を表し得る、調査された組織の特定の物理学的又は化学的なパラメータのレポーターとして機能することはできない。
【００１０】
それらとは異なり、ＷＯ００／６６１８０は、in vivoのＣＥＳＴ  ＭＲＩ分析を実行するため、そしてin vivo及びin vitroの両方におけるpH及び温度のような物理学的又は化学的なパラメータの測定のため効率的に機能する、妥当なプロトン交換及び化学シフトの特性を賦与された化学基を少なくとも１つ含むＣＥＳＴ  ＭＲＩ造影剤の投与を含む、ＭＲＩ画像のコントラストを増強するための方法を開示している。造影剤濃度に対して非依存的なpH測定のためのレシオメトリック（ratiometric）法も開示されている。
【００１１】
特許請求の範囲に記載された方法を実行するのに有用なものとして、Balaban及び共同研究者らによって開示された薬剤は、全て、ＯＨ又はＮＨの交換可能プロトンを有する反磁性有機分子である。
【００１２】
一般に、ＣＥＳＴ適用のための造影剤の可動プロトンは、コアレッセンス（coalescence）条件よりは遅いが、急速な水プロトンとの交換速度（ｋex）を有していなければならず、この条件は、好適にはｋevΔν〜１／２π［Δνは、２つの交換プール間の化学シフト間隔（Hz）である］の時に到達される。これに関して、より大きいΔν値は、より高いｋev値の活用を可能にし、従って増強されたＣＥＳＴ効果をもたらす。
【００１３】
Balabanにより特許請求の範囲に記載された反磁性系は、有利に、適度に短い緩和速度を賦与されているが、ＮＨ又はＯＨ交換可能プロトン信号とバルク水信号との化学シフト間隔はわずか１〜５ppmの範囲内である。従って、バルク水又はタンパク質結合水の飽和を回避しながらのこれらの可動プロトンの飽和は、実際、重大な問題を提起し得る。小さいΔν値の他に、in vivoにおける毒性又は生理学的な効果の高い確率をもたらす、充分に大きいＣＥＳＴ効果を生成させるために通常必要とされるそれらの高い濃度が、そのような反磁性薬剤のさらなる限界となっている。
【００１４】
ＷＯ０２／４３７７５は、側鎖（pendent arms）がアミド基を含むテトラアザシクロドデカン配位子、その配位子に配位した常磁性金属イオン及びそれと会合した水分子を含む、常磁性金属イオンに基づくマクロ環式ＣＥＳＴ造影剤を開示している。該薬剤は、磁化移動（magnetization transfer）メカニズムに基づく画像コントラストを作製するのに有用であることが報告されている。
【００１５】
その明細書は、側鎖内のアミドに関連したプロトンの２９８Kにおける滞留寿命（residence lifetime）、τM298（τM＝１／ｋex）に対するpHの効果、及び特許請求の範囲に記載された化合物のうちの１つの同じアミド基に関連した２個の磁気的に異なる交換可能プロトンの飽和中に得られる磁化移動効果のpH依存性を例証している（それぞれ、図（figure）２５及び実験（experiment）１３）。しかしながら、その明細書は、磁化移動に対するpH効果の、特許請求の範囲に記載された薬剤のクラス全体への適用可能性を教示していないし、又は示唆すらしていない。さらに、明細書も実験１３も、ヒト又は動物の身体器官、体液又は組織における診断的に重要な物理学的又は化学的なパラメータの測定のために一般的に適用可能な方法における、特許請求の範囲に記載された化合物の可能性のある使用を教示又は示唆しておらず；まして、局所造影剤濃度に対して非依存的に該測定が得られる方法における可能性のある使用など教示又は示唆していない。同時に、ＷＯ０２／４３７７５明細書は、該測定がいかにして実施され得るかを教示していない。
【００１６】
発明の概要
本発明は、応答性常磁性ＣＥＳＴ造影剤の投与を含む、診断的に重要な物理学的又は化学的なパラメータのin vivo、in vitro又はex vivoの測定のための、ＣＥＳＴ手順に基づく方法に関するものである。
【００１７】
特に、
−  飽和能が重要な物理学的又は化学的なパラメータと相関している交換可能プロトンを少なくとも１つ含む応答性常磁性ＣＥＳＴ造影剤が利用され、
−  調査される器官又は組織における該パラメータに対して応答性のＣＥＳＴ  ＭＲ画像が表示される、ヒト又は動物の身体器官、体液又は組織における診断的に重要な物理学的又は化学的なパラメータの、磁気共鳴画像法技術の使用による測定のための方法が、本発明の目的である。
【００１８】
本発明の方法において使用するための常磁性造影剤は、応答性薬剤、即ち、ＣＥＳＴ剤の特徴的な特質を、それが可能にする飽和移動効果が、診断的に重要な物理学的又は化学的なパラメータに対して感受性であるという事実と組み合わせた薬剤である。従って、本発明の方法において使用するための造影剤は、水媒体プロトンとの化学交換における可動プロトンを少なくとも１つ含み、かつ該交換可能プロトンの共鳴周波数で適切な高周波印加磁場が適用された場合に、診断的に重要な物理化学的パラメータにのみ相関している、該可動プロトンと水媒体プロトンとの間の飽和移動（ＳＴ）効果を生成させることができる常磁性化合物である。
【００１９】
本発明の好ましい方法において、診断的に重要な物理化学的パラメータに対して応答性であり、投与された造影剤濃度に対して非依存性であるＣＥＳＴ  ＭＲ画像の表示を可能にする、少なくとも２つの磁気的に異なる可動プロトン又はプロトンプールを賦与されたＣＥＳＴ常磁性造影剤が投与される。
【００２０】
本発明の方法において使用するための応答性常磁性ＣＥＳＴ造影剤は、ＷＯ００／６６１８０の先行技術の反磁性化合物に影響を与える限界を克服する。本発明の常磁性応答性薬剤の分子構造は、実際、有利に、化学シフト及び可動プロトンと水プロトンとの交換速度に関する最適な値を探究するために選択され得る。さらに、ＷＯ００／６６１８０の反磁性薬剤の構造は、容易には増加させることができない比較的少数の可動プロトンを含んでいる。反対に、本発明の応答性ＣＥＳＴ剤の不安定プロトンの数は、有利に、増加させることが可能であり、その結果として、投与される薬剤の量は縮小する。
【００２１】
ＷＯ０２／４３７７５と比較した場合、本発明は、ヒト又は動物の身体器官、体液又は組織における診断的に重要な物理学的又は化学的なパラメータの測定のための一般的な方法を提供する。本法は、該パラメータに対して応答性の常磁性ＣＥＳＴ造影剤の使用に基づいている。この方法によれば、投与された薬剤の局所濃度に対して非依存的な測定が実行され得る。
【００２２】
本発明の方法において使用するための応答性常磁性薬剤は、好ましくは、常磁性金属イオンのキレート化錯体を少なくとも１つ含む。常磁性金属イオンは、印加される可動プロトンの化学シフト値に有意に影響を与えるために適切に短い電子緩和時間を有する任意の遷移金属イオン又はランタニド（III）金属イオンである。好ましい常磁性金属イオンは、鉄（II）（高スピン）、鉄（III）、コバルト（II）、銅（II）、ニッケル（II）、プラセオジム（III）、ネオジム（III）、ジスプロシウム（III）、エルビウム（III）、テルビウム（III）、ホルミウム（III）、ツリウム（III）、イッテルビウム（III）及びユーロピウム（III）からなる群の中で選択される。
【００２３】
Ｌｎ（III）金属イオンとも呼ばれるランタニド（III）金属イオンは、特に好ましい。
【００２４】
本発明の方法において使用するための常磁性錯体のキレート配位子は、窒素原子、酸素原子、硫黄原子又はリン原子に結合した可動プロトンを少なくとも１つ賦与された任意の有機配位子であり得る。好ましくは、可動プロトンは、金属イオンに配位したアミド基に属する。
【００２５】
本発明の可動プロトンのさらに適切な起源は、キレート化錯体の常磁性中心に配位した（１個以上の）水分子により表される。この特定の例において、バルク水プロトンの緩和時間は、それらの圏内配位水プロトンとの交換によって影響される。
【００２６】
本発明の方法において使用するための応答性薬剤は、１，４，７，１０−テトラアザシクロドデカン−１，４，７，１０−四酢酸（ＤＯＴＡ）のマクロ環式テトラ−アミド誘導体、１，４，７，１０−テトラアザシクロドデカン−１，４，７−三酢酸（ＤＯ３Ａ）のトリス−アミド誘導体、及びヘキサ−アザ−マクロ二環式（macrobicycle）サルコファジン（sarcophagine）（３，６，１０，１３，１６，１９−ヘキサアザビシクロ［６．６．６］エイコサン）の誘導体と、先に示された好ましい金属イオンとのキレートを含む。
【００２７】
式（Ｉ）：
【化４】
2010088901.tif 000003
［式中：
【化５】
2010088901.tif 000004
］のキレート配位子を含む好ましい常磁性造影剤は、Ｌｎ（III）金属イオンとキレート化されており、さらに好ましくはその常磁性金属中心に配位した水分子を含む。
【００２８】
もう１つの好ましい化合物のクラスは、式（II）：
【化６】
2010088901.tif 000005
［式中：
＊Ｒ＝Ｒ’＝−ＮＯ2］のキレート配位子を有する常磁性錯体を含む。
【００２９】
本明細書において配位子Ｂ又はＤＯＴＡＭ−ヒドラジドと呼ばれる、式：
【化７】
2010088901.tif 000006
の１，４，７，１０−テトラアザシクロドデカン−１，４，７，１０−酢酸テトラアジド誘導体、及びそれの遷移金属イオン又はランタニド（III）金属イオンとのキレート化体は、新規であり、かつ本発明のさらなる目的である。
【００３０】
式：
【化８】
2010088901.tif 000007
の１，４，７，１０−テトラアザシクロドデカン−１，４，７，１０−酢酸テトラグリシンアミドキレート配位子は、本明細書において配位子Ａ又はＤＯＴＡＭ−Ｇｌｙと呼ばれる。
【００３１】
本発明のＬｎ（III）錯化合物のアミドＮ−Ｈプロトンの印加により発生するＣＥＳＴ効果は、ＳＴ効果が印加時間の関数として測定される一連のＣＥＳＴ実験に基づき試験された（２５μTの印加力（irradiation power）、ここで、Tとはテスラを意味する）。特に、Ｌｎ＝Ｄｙ、Ｈｏ、Ｅｒ、Ｔｍ、Ｙｂの５個のＬｎ−ＤＯＴＡＭ−Ｇｌｙキレートがテストされた。図３に含まれる実験結果は、最も効率的な飽和移動が、pH８．１でＹｂ（III）錯体（３０mM）で観察されることを示しており、ここで観察された２sの印加後のおよそ７０％の飽和効果は、極めて効率的な飽和移動を示していると考えられる。アミノ酸のような反磁性分子で類似の結果に到達するためには、はるかに高い濃度（１２５mM）が要求される。さらに、類似の結果は、pH５、即ち、生理学的範囲からはるかに離れたpH値においてのみ得られる（Ward KMら J Magn Res 2000;143:79-87）。
【００３２】
その他のＬｎ（III）−ＤＯＴＡＭ−Ｇｌｙ錯体に関して、図３に報告されたデータは、ＣＥＳＴ効果が最小であるＤｙ（III）キレートからＹｂ（III）錯体までのランタニド系列の飽和移動効果の明白な傾向を示している。
【００３３】
ＳＴ効果の全体的な視覚化は、ＣＥＳＴスペクトルにより表され、pH８．１におけるＹｂ−ＤＯＴＡＭ−Ｇｌｙの３０mM溶液について、その一例が図４に報告される。そのスペクトルは、より高い値に規準化された水信号の強度を、印加オフセットの関数として報告している。明らかに、効果は水の共鳴周波数（０ppm）において最大であるが、印加周波数が水からおよそ−１６ppmに設定された場合、有意な水の飽和が観察され、残存している信号は２０％よりわずかに少ないことが直ちに明らかである。しかしながら、この効果には、水信号の直接飽和が部分的に不随するため、「真の」ＣＥＳＴ効果は、オフレゾナンス飽和も考慮することにより定量的に評価される。これは、図３に報告された実験において測定されたＭS／ＭO比の値が、図４中の矢印により示された二つの値の比であることを意味する。
【００３４】
Ｅｕ−ＤＯＴＡＭ−Ｇｌｙキレートに関して、アミドプロトンとバルク水との間の化学シフト間隔は、テストされた他のＬｎ（III）イオンより小さい（４．２ppm）（図２参照）。他のＬｎ−ＤＯＴＡＭ−Ｇｌｙ錯体に使用されたのと同じスクエアパルス（square pulse）のアミドプロトンへの印加は、バルク水に対する顕著な直接飽和効果のため、飽和移動効果の検出を可能にしない。この理由のため、選択的な形のサチュレーションパルスを使用するのが便利である。各２０msの２７０°ｅ−ｂｕｒｐ１パルスの列（全印加時間４s、印加力１．２μT）を使用することにより測定されたＳＴ効果は、２３％であった（pH７．７、３０mM、３１２°K、７．０５T）。
【００３５】
このキレートにおいて、３１２°Kにおいてバルク水からおよそ５０ppm低磁場において共鳴するＥｕ（III）イオンに配位した水プロトンを印加することにより飽和移動効果を検出することも可能であることを考慮することは注目に値する。この信号は極めてブロードであるため、この場合にも、全てのスピンを同時に励起するため、選択形パルスを使用するのが便利である。これに基づき、およそ８５％の顕著なＳＴ効果が測定された（各１msの９０°ｅ−ｂｕｒｐ１パルスの列、全印加時間４s、印加力１５．７μT、pH７．７、３０mM、３１２°K、７．０５T）。
【００３６】
本発明のランタニドキレート化錯体により示されたＳＴ効果は、さらに、診断的に重要な物理学的又は化学的なパラメータに対して著しく感受性であり、このことは、in vivo又はin vitroのいずれかにおける該パラメータの測定のための本発明の方法におけるそれらの有利な使用を可能にする。
【００３７】
重要なパラメータのリストは、造影剤及び周囲の水からの飽和移動を制御する因子少なくとも１つに影響することができる診断的に重要な任意の物理学的又は化学的なパラメータを含む。
【００３８】
特に、該パラメータは、ヒト又は動物の身体器官又は組織における、温度、pH、代謝産物濃度、Ｏ2又はＣＯ2の分圧、酵素活性を含む。
【００３９】
本発明の方法によると、飽和移動の量は、以下の方程式に従い、診断的に重要な任意の物理学的又は化学的なパラメータに関連している。
【化９】
2010088901.tif 000008
【００４０】
この方程式によると、観察された飽和移動効果は、便利に、（１−ＭS／ＭO）［式中、ＭSは、可動プロトン共鳴に対応する周波数（νon）における印加時の水信号の強度を示し、ＭOは、周波数νoffにおける印加時に測定された水信号強度を示し、νoff＝−νonかつνwater＝０である］として定量される。
【００４１】
νoffにおける印加は、水信号に対する直接飽和効果の評価を可能にする。
【００４２】
方程式１により示されるように、ＳＴ効果は、
−  印加時間ｔ；
−  印加されたプロトンの擬一次動力学的定数速度ｋex；
−  印加された可動プロトンの数ｎ；
−  可動プロトンの印加時のバルク水の縦緩和速度Ｒlirr；
−  常磁性薬剤のモル濃度［Ｃ］及びバルク水プロトンのモル濃度［Ｈ2Ｏ］（純粋中１１１．２M）
に依存する。
【００４３】
本発明の方法において使用するための好ましい常磁性キレートは、全て、金属中心に配位した交換可能水分子を保有していると仮定して差し支えない。この理由のため、ＲlirrはＲｌと概念的に異なっており、Ｒlirrは反磁性薬剤よりも常磁性系の方が高い可能性が高く、さらに、それは、金属錯体の濃度及びｋex値の両方に依存する。
【００４４】
方程式１は、ＳＴの効率が、交換プロトンの濃度に依存し、従って造影剤の濃度（ｎ［Ｃ］）に依存することを示している。この知見は、重要な診断パラメータの測定を、造影剤濃度に対して依存性にする。従って、該パラメータの測定が、濃度が測定され得るin vitroで実施される場合には問題は起こらないが、投与された薬剤の局所濃度を知ることなく、in vivoでそれらを正確に測定することは不可能である。
【００４５】
従来のＧｄ（III）に基づく造影剤の緩和増強能に関して一般的に観察されるものとは異なり、常磁性薬剤の濃度とＳＴ効果との関係は直線的でない。実際、ＳＴ効果の定常状態値は、
【化１０】
2010088901.tif 000009
によって測定され、Ｒirrの濃度依存性を考慮に入れたとしても、造影剤の濃度の依存性が、従来のＭＲＩ造影剤ほど著しくないことが明らかである。
【００４６】
従って、ＣＥＳＴ造影剤の効力に対して濃度が果たす限定された役割にも関わらず、依然として、モニタリングされるパラメータのin vivoの正確な測定のためには、薬剤の局所濃度の正確な知識が必要不可欠である。
【００４７】
この問題は、本発明の好ましい方法に従い、ＳＴ効果が重要な物理化学的パラメータからの異なる依存性を示す二つの磁気的に異なる不安定プロトンのプールを考慮することにより解決され得る。この目標に到達するには、実際、二つの戦略が可能である。
ｉ）二つの磁気的に非等価な可動プロトンプールの両方を賦与された単一ＣＥＳＴ分子を含む常磁性造影剤の使用、又は
ii）可動プロトンのセット少なくとも１つを各々賦与された二つの異なるＣＥＳＴ単位を含む常磁性造影剤の使用。後者の場合、二つの分子は、同じ体内分布パターンを有していなければならない。
【００４８】
局所造影剤濃度に対して非依存的な、診断的に重要な物理学的又は化学的なパラメータの測定のための第一の好ましい方法において、バルク水プロトンとの交換における可動プロトンの磁気的に非等価なプールを少なくとも二つ有する単一常磁性化合物が使用される。
【００４９】
この方法によると、二つの異なる可動プロトンのプールに対して選択印加が実行される。次いで、投与された造影剤の絶対濃度からのＳＴ効果の依存性を除去し、薬剤の局所濃度から非依存的な、in vitro（ex vivo）及びin vivoの両方における重要な物理化学的パラメータの測定を可能にするため、レシオメトリック法が活用される。
【００５０】
好ましくは、化合物は、常磁性錯体又はその生理学的に許容される塩である。金属イオンは、好ましくは、常磁性錯分子に属する二つの磁気的に異なる可動プロトンのセットの関与により、ＳＴ効果を誘導する能力に基づき、常磁性の遷移金属イオン又はＬｎ（III）金属イオンの中で選択される。キレート配位子は、少なくとも二つのプールを賦与された任意の有機単量体配位子からなっていてもよいし、又は、１つのプールが常磁性錯体の金属中心に配位した水プロトンにより表される場合には、窒素原子、酸素原子、硫黄原子、リン原子に結合した可動プロトンのプールを少なくとも１つ賦与された任意の有機単量体配位子からなっていてもよい。好ましくは、可動プロトンプールは、第一のものはキレート配位子のアミド基に属し、第二のものは金属配位水プロトンに属する。より好ましくは、可動プロトンプールは、第一のものは配位アミド基に属し、第二のものはキレート配位子Ａ、Ｃ、Ｄ、Ｅ、Ｆ、Ｇ、Ｈ、ＬのＥｕ（III）錯体の金属結合水プロトンに属する。
【００５１】
この好ましい方法において使用するための異なる造影剤は、キレート配位子が、少なくとも１つの可動プロトンのプールを各々賦与された二つの等しいもしくは異なるキレート単位を含む二量体配位子からなり、かつ２つの金属イオンが、二つの可動プロトンプールのセットの関与により、異なるＳＴ効果を誘導する能力に基づき、遷移金属イオンもしくはＬｎ（III）金属イオンの中で適切に選択されたものである常磁性錯体又はその生理学的に許容される塩を含む。可動プロトンプールは、好ましくは、第一のものは、第一の部分の金属イオンに配位した水プロトンにより表され、第二のものは、第二の部分の窒素原子、酸素原子、硫黄原子、リン原子に結合した可動プロトンにより表されてもよいし、あるいはそれら両方が、二つの異なるＬｎ（III）金属イオンに配位した水プロトンにより、又は窒素原子、酸素原子、硫黄原子もしくはリン原子に結合した可動プロトンにより表されてもよい。
【００５２】
より好ましくは、可動プロトンプールは、第一のものは式：
【化１１】
2010088901.tif 000010
の二量体錯化合物［Ｅｕ−Ｙｂ（ｂｉｓＤＯＴＡＭＧＬｙ）］のＥｕ（III）金属イオンに配位した水プロトンに属し、第二のものはＹｂ（III）に配位したアミド基に属する。
【００５３】
（ｂｉｓＤＯＴＡＭＧＬｙ）二量体キレート配位子は、二つの常磁性の遷移金属イオン又はＬｎ（III）金属イオンとキレート化したその錯体と同様に、新規であり、かつ本発明のさらなる目的を構成する。
【００５４】
第二の戦略によると、ＣＥＳＴ  ＭＲＩ画像法の使用による診断的に重要な物理学的又は化学的なパラメータの測定のためのもう１つの好ましい方法において、二つの常磁性錯化合物が使用される。この場合、二つのＣＥＳＴ剤は、同じ体内分布パターンを有していなければならない。この方法によると、二つの常磁性薬剤により提供される二つの異なる可動プロトンのプールの選択印加が実施される。この場合にも、投与された造影剤の絶対濃度からの飽和移動効果の依存性を除去するレシオメトリック法が活用される。この方法は、薬剤の局所濃度から非依存的であるが、二つの薬剤の間の既知の濃度比による、in vitro（ex vivo）及びin vivoの両方における該物理学的又は化学的なパラメータの測定を可能にする。
【００５５】
好ましくは、二つの常磁性化合物は、二つのキレート化常磁性イオンが異なっている、常磁性キレート錯体又はその生理学的に許容される塩である。該二つの金属イオンは、好ましくは、二つの磁気的に異なる交換プロトンプールの関与により、飽和移動効果を促進する能力に基づき、常磁性Ｌｎ（III）イオンの中で選択される。二つのキレート配位子は、窒素原子、酸素原子、硫黄原子、リン原子に結合した可動プロトンを少なくとも１つ賦与された任意の有機配位子からなっていてもよく、等しくても又は異なっていてもよいが、二つの金属錯体に同じ体内分布パターンが付与されるよう適切に選択される。好ましくは、可動プロトンは、アミド基、より好ましくは、１，４，７，１０−テトラアザシクロドデカン−１，４，７，１０−四酢酸テトラグリシンアミド（配位子Ａ）、１０−［（３−メトキシフェニル）メチル］−１，４，７，１０−テトラアザシクロドデカン−１，４，７−トリス−［（アミノカルボニル）メチル］（配位子Ｇ）の中で選択されたキレート配位子の配位アミド基に属するか、又はテトラヒドラジド誘導体（配位子Ｂ）内の金属配位水プロトンに属する。
【００５６】
さらに好ましいのは、Ｅｕ（III）−ＤＯＴＡＭ−Ｇｌｙ又はその生理学的に許容される塩と共にＹｂ（III）−ＤＯＴＡＭ−Ｇｌｙを含む造影剤の、この方法における使用である。第一の錯体は、化学交換アミドプロトン（３１２°KにおいてΔδ＝１６ppm）の利用可能性のため選択され、第二のものは金属配位水分子に属するプロトン（３１２°Kにおいておよそ５０ppmのΔδ）のため選択された。
【００５７】
等しく好ましいのは、Ｅｕ（III）−ＤＯＴＡＭ−Ｇｌｙ又はその生理学的に許容される塩と一緒のＴｍ（III）−ＤＯＴＡＭ−Ｇｌｙ（アミドプロトンの印加）の使用である。
【００５８】
同じ電荷、親水性／親油性バランス及び類似の構造を有するため、両方の対の二つの金属錯体は、同じ体内分布パターンを示すことが合理的に予想される。
【００５９】
局所造影剤濃度に対して非依存的な診断的に重要な物理学的又は化学的なパラメータの測定のための本発明の最も好ましい方法において、少なくとも二つの異なる交換可能プロトン又はそのプロトンプール（第一のものは、診断的に重要な物理学的又は化学的なパラメータにのみ応答性であり、第二のものは、局所薬剤濃度にのみ依存するＣＥＳＴ効果を示す）を賦与された応答性常磁性ＣＥＳＴ造影剤が投与される。
【００６０】
この方法によると、二つの異なる可動プロトンのプールの選択印加が実施され、局所造影剤濃度に対して非依存的な、in vitro（ex vivo）及びin vivoの両方における重要な物理学的又は化学的なパラメータの測定が得られる。
【００６１】
本発明のさらなる目的は、ＣＥＳＴ  ＭＲ画像法の使用によるヒト又は動物の身体器官、体液又は組織における該パラメータの測定のための医薬組成物の調製のための、水媒体プロトンとの化学交換における可動プロトンを少なくとも１つ賦与されており、かつ該交換可能プロトンの共鳴周波数で適切な高周波ｒｆ印加磁場が適用された場合に、診断的に重要な物理学的又は化学的なパラメータに対して感受性の、該可動プロトンと水プロトンとの間の飽和移動効果を生成させることができる常磁性キレート錯体を含むＣＥＳＴ造影剤の使用である。
【００６２】
好ましくは、該常磁性化合物は、Ｌｎ（III）金属イオンとキレート化した、式（Ｉ）：
【化１２】
2010088901.tif 000011
［式中：
【化１３】
2010088901.tif 000012
］のキレート配位子を含む。
【００６３】
もう１つの好ましい常磁性化合物は、式（II）：
【化１４】
2010088901.tif 000013
［式中：
＊Ｒ＝Ｒ’＝−ＮＯ2］のキレート配位子を含む。
【００６４】
さらに好ましくは、該常磁性化合物は、［Ｅｕ−Ｙｂ（ｂｉｓＤＯＴＡＭＧＬｙ）］キレート化錯体である。
【００６５】
さらなる面において、本発明は、ＣＥＳＴ  ＭＲ画像法の使用による、局所造影剤濃度に対して非依存的な、ヒト又は動物の身体器官、体液又は組織における診断的に重要な物理学的又は化学的なパラメータの測定のための医薬組成物の調製のための、水媒体プロトンとの化学交換における可動プロトンを少なくとも１つ各々含む、同じ体内分布パターンを示さなければならない二つの常磁性キレート化錯体の使用に関する。好ましいのは、Ｅｕ（III）−ＤＯＴＡＭ−Ｇｌｙもしくはその生理学的に許容される塩と一緒のＹｂ（III）−ＤＯＴＡＭ−Ｇｌｙ、又は場合によっては、Ｅｕ（III）−ＤＯＴＡＭ−Ｇｌｙと一緒のＴｍ（III）−ＤＯＴＡＭ−Ｇｌｙの、この範囲のための使用である。
【００６６】
さらなる面において、本発明は、該交換可能プロトンの共鳴周波数で適切な高周波ｒｆ印加磁場が適用された場合に、診断的に重要な物理学的もしくは化学的なパラメータにのみ感受性の、該可動プロトンと水プロトンとの間の飽和移動効果を生成させることができる、水媒体プロトンとの化学交換における可動プロトンもしくはプロトンプールを少なくとも１つ、好ましくは少なくとも二つ含む常磁性キレート錯体又はその生理学的に許容される塩を含むＣＥＳＴ造影剤を、生理学的に容認される担体と共に含む医薬組成物に関する。
【００６７】
この医薬組成物は、好ましくは、Ｅｕ（III）−ＤＯＴＡＭ−Ｇｌｙ、Ｅｕ（III）−ＤＯＴＡＭ−ヒドラジド、配位子Ｇ及びＭのＣｏ（II）（高スピン）キレート錯体、キレート配位子Ｃ、Ｇ、Ｈ及びＬのＬｎ（III）キレート錯体、［Ｅｕ−Ｙｂ（ｂｉｓＤＯＴＡＭＧＬｙ）］又はそれらの生理学的に許容される塩の中で選択された常磁性キレート化錯体を、生理学的に容認される担体と共に含む。
【００６８】
また、好ましくは、医薬組成物は、二つの常磁性金属イオンが異なっており、かつ窒素原子、酸素原子、硫黄原子、リン原子に結合した可動プロトンを少なくとも１つ賦与された任意の有機配位子からなり得るキレート配位子が、二つの金属錯体に同じ体内分布パターンが付与されるよう適切に選択されている、二つの常磁性キレート化錯体又はそれらの生理学的に許容される塩を、生理学的に容認される担体と共に含む。より好ましくは、両キレート配位子は同じである。
【００６９】
二つの常磁性錯体は、好ましくは、キレート化金属イオンによって選択される等しいモル量又は既知のモル比で含まれる。該比は、１〜３０の範囲であり得、好ましくは１〜１０、より好ましくは１〜５、最も好ましくは１〜２の範囲であり、より低い量で含まれる常磁性化合物の要求される最小モル濃度は少なくとも０．０５mMであり、含まれる常磁性ＣＥＳＴ造影剤の全濃度は、０．００１〜１．０Mの範囲である。
【００７０】
最も好ましくは、この医薬組成物は、Ｅｕ（III）−ＤＯＴＡＭ−Ｇｌｙと一緒のＹｂ（III）−ＤＯＴＡＭ−Ｇｌｙ、もしくはＥｕ−ＤＯＴＡＭ−Ｇｌｙと一緒のＴｍ−ＤＯＴＡＭ−Ｇｌｙ、又はそれらの生理学的に許容される塩を、生理学的に容認される担体と共に含む。
【００７１】
本発明の医薬調製物は、脈管内（intravasally）（例えば、静脈内、動脈内、室内等）に適切に注射されてもよいし、又はクモ膜下腔内投与、腹腔内投与、リンパ内（intralymphatic）投与、腔内（intracavital）投与、経口投与もしくは経腸投与によって使用されてもよい。
【００７２】
注射可能な医薬製剤は、典型的には、活性成分及び医薬的に許容される賦形剤を、薬理学的な見地から適切な純度の水に溶解させることにより調製される。得られた製剤を、適切に滅菌し、そのまま使用してもよいし、又は別法として、凍結乾燥させ、使用前に再生させてもよい。
【００７３】
これらの製剤は、体重１kg当たり０．０１〜０．５mmolの範囲の用量で、診断的な要求に応じた濃度で投与され得る。
【００７４】
本発明の好ましい方法の有効性をテストするため、pH８．１の１６mMのＥｕ−ＤＯＴＡＭ−Ｇｌｙ及び２０mMのＹｂ−ＤＯＴＡＭ−Ｇｌｙを含有している溶液のＣＥＳＴスペクトル（７．０５T、３１２°K、印加力２５μT、印加時間４s）を示し、その結果を図８に含める。興味深いことに、約５０ppm（水信号より低磁場）を中心とした「ピーク」（極めてブロード）の検出は、Ｅｕ−ＤＯＴＡＭ−Ｇｌｙの配位水プロトンが印加された場合に起こる飽和移動の明白な指標である。
【００７５】
本発明の好ましい方法を基本としているレシオメトリック法は、方程式１の再編成から導かれたものであり、以下の方程式：
【化１５】
2010088901.tif 000014
［式中、上付のＡ及びＢは、交換プール磁気パラメータが参照されている常磁性錯化合物を明らかにするものである］により表される。上記の実験において、例えば、Ａ＝Ｙｂ−ＤＯＴＡＭ−ＧｌｙかつＢ＝Ｅｕ−ＤＯＴＡＭ−Ｇｌｙであり、かつ［Ａ］／［Ｂ］比を表すＫconcは１．２５である。印加された不安定プロトンの各プールに関する二つのＲlirr値の存在は、原則として、二つのプロトンプールで異なる、バルク水と印加された可動プロトンとの間の交換速度に、Ｒlirr値が依存するという事実による。
【００７６】
二つの可動プロトンのプールを含む単一化合物が考慮された場合にも同じ方程式が当てはまるが、この場合には明らかに、Ｋconcは１に等しい。
【００７７】
pH応答性ＣＥＳＴ剤
一般的に述べると、本発明の方法によるpH応答性ＣＥＳＴ剤としての優れた候補は、Ｌｎ（III）金属イオン又は遷移金属と、水プロトンとの化学交換が塩基触媒又は酸触媒を受ける可動プロトンを少なくとも１つ含むキレート配位子とを含む、任意の常磁性錯化合物であり得る。
【００７８】
さらに、その可動プロトンの化学シフト修飾を誘導するような方式で、pHによって構造が変化する任意の常磁性錯体が、等しく、本発明の方法によるpH応答性ＣＥＳＴ剤として使用され得る。
【００７９】
適切なpH応答性ＣＥＳＴ剤は、さらに、常磁性金属中心に配意した水分子の数がpHに依って変化し、バルク水プロトンの緩和速度の変化が起こる、全ての常磁性錯化合物を含む。この種のpH応答性薬剤は、例えば、式：
【化１６】
2010088901.tif 000015
のキレート配位子ＨのＬｎ（III）キレート化錯体に代表される。
【００８０】
スルホンアミド基がプロトン化型で存在する場合には、Ｌｎ（III）イオンが９配位（nona-coordinated）され、２つの可動水分子が金属中心に結合する。反対に、スルホンアミド基が脱プロトン化された場合、それは、金属イオンを配位できるようになり、その結果、８配位（octa-coordinated）される（水分子はそれに配位されない）。３つの側鎖上の６個の交換可能アミドプロトンの化学シフトは、錯体のプロトン化型と脱プロトン化型との間のモル比、即ち溶液のpHに依存する。この方式において、（プロトン化型又は脱プロトン化型の）錯体のアミドプロトンの印加時の飽和移動効果は、周辺媒体のpHに対して感受性である。
【００８１】
pH応答性常磁性ＣＥＳＴ剤のさらなる例は、Ｅｕ−ＤＯＴＡＭ−ヒドラジド（配位子Ｂ）キレート化錯体により表される。この化合物において、６．５を超えるpHにおいて起こるプロトン解離は、pH＜６．５における遅い交換の条件（ｋexΔν＜１／２π）から、２つの信号間のコアレッセンス（ｋexΔν＞１／２π）へと、Ｅｕ（III）イオンに結合した水分子の交換速度の有意な加速を引き起こす。実際、Ｅｕ（III）イオンに結合した水プロトンの共鳴周波数（１５０００HzのΔν）における印加時に観察されるＳＴは、６．５より高いpH値において減少する（図５）。
【００８２】
アミド基の可動プロトンにより促進されるＳＴ効果のpH依存性として、Ｌｎ（III）ＤＯＴＡＭ−Ｇｌｙ錯体及びＬｎ（III）−配位子Ｇ錯体は、pH応答性ＣＥＳＴ剤の適切なクラスの例を表す。
【００８３】
ＳＴ効果のpH依存性が、Ｙｂ−配位子Ｇ錯化合物（２０mM、３１２°K、印加力２５μT、印加時間４s）に関して評価されており、その結果を図６に示す。ＳＴ効果は著しくpH依存性であり、pH７．２で最大となり、５．５未満のpH値ではほぼ無視しうる程度である。
【００８４】
ＳＴ効果のpH依存性は、Ｙｂ−ＤＯＴＡＭ−Ｇｌｙ誘導体（３０mM、３１２°K、印加力２５μT、印加時間４s）に関しても評価されており、その結果を図６−２に示す。ＳＴ効果は著しくpH依存性であり、pH８．１で最大となり、６未満のpHではほぼ無視しうる程度である。pH依存性は５．５〜８．１のpH域において直線的（回帰係数＝０．９９６）であるのに対し、より高いpH値においては、過度のＮ−Ｈ共鳴の交換ブロード化のため、飽和移動はより低効率となる可能性が高い。この挙動は、ＳＴ効果のpH依存性が、Ｙｂ（III）錯体のアミドＮ−Ｈプロトンの塩基触媒プロトン交換により主に発生するという仮説を支持する。興味深いことに、２sの印加時にも類似の結果が得られた。ＳＴ効果が著しくpH感受性であり、さらに、それが生理病理学的pH区間で適切に調整されるため、これらの結果は、このキレートのin vivo適用にとって極めて有望である。
【００８５】
さらに、異なるpH値の薬剤の３０mM溶液を含有しているファントムの標準的なプロトン密度（ＰＤＷ）1Ｈ水ＭＲ画像が、ブルカーファーマスキャン（Bruker Pharmascan）イメージャーで７．０７T及び２９８°Kで記録された（図７）。興味深いことに、直接測定されたＣＥＳＴ効果が極めて低い（１２％）pH５．４ですら、画像差の対応するコントラストは全く無視しうる程度ではない。
【００８６】
本発明の好ましい方法により、ランタニドイオンが異なる二つのＬｎ（III）−ＤＯＴＡＭ−Ｇｌｙキレートの混合物を使用することにより、ＣＥＳＴ効果のpH依存性がテストされた。従って、Ｙｂ−ＤＯＴＡＭ−Ｇｌｙ錯体及びＥｕ−ＤＯＴＡＭ−Ｇｌｙ錯体が、それぞれアミドＮ−Ｈプロトン及び金属配位水プロトンの交換に関連したＣＥＳＴ効果を活用するため選択された。図８に、pH８．１の１６mMのＥｕ−ＤＯＴＡＭ−Ｇｌｙ及び２０mMのＹｂＤＯＴＡＭ−Ｇｌｙを含有している溶液から得られたＣＥＳＴスペクトル（Ｂ0＝７．０５T、３１２°K、印加力２５μT、印加時間４s）を示す。バルク水の直接飽和によるピークとは別に、ＣＥＳＴスペクトルは、二つの付加的なピークを特徴としており、一方は、比較的狭く、バルク水の化学シフトからおよそ１６ppm高磁場にシフトし、他方は、極めてブロードであり、およそ５０ppm低磁場にシフトしている。明らかに、第一のピークは、Ｙｂ（III）錯体の４つのアミドＮ−Ｈプロトンに対応しているのに対し、第二のピークは、Ｅｕ（III）に基づくキレートの配位水のプロトンに関連している。本発明の方法が基本としているレシオメトリック法によると、［（ＭO−ＭS）／ＭS］YbL／［（ＭO−ＭS）／ＭS］EuL比として評価されたＣＥＳＴ効果は、造影剤の絶対濃度に対して依存性でなく、相対濃度比に対してのみ依存性である。これに基づき、［（ＭO−ＭS）／ＭS］YbL／［（ＭO−ＭS）／ＭS］EuL比のpH依存性を、１６mMのＥｕ−ＤＯＴＡＭ−Ｇｌｙ及び２０mMのＹｂ（III）に基づくキレートを含有している溶液で、７．０５T、３１２Kで調査した（印加時間４s、印加力２５μT）。図９に報告された結果は、本発明の系のpHに対する高い応答性を示している。興味深いことに、本法の良好な感受性を保証する、そのような系で観察された著しいpH依存性は、基本的には、Ｙｂ（III）キレートにより示されたＳＴ効果のpH依存性による。実際、Ｅｕ−ＤＯＴＡＭ−Ｇｌｙ錯体内の配位水のプロトンの印加により発生するＳＴ効果は、調査された５．５〜８．５のpH域において基本的に影響を受けない（図１０）。これは、反磁性系においてBalaban及びWardにより報告されたもの（Ward KM及びBalaban RS.Magn Res Med 2000; 44: 799〜802）より相当大きい６．５〜８．１のpH域における、ＳＴ比の顕著なpH依存性をもたらす、Ｙｂ（III）キレートのpH依存性の完全な活用を可能にする。
【００８７】
もう１つの実験において、本発明者らは、２つの磁気的に非等価な可動プロトンのプールを賦与された単一常磁性錯体が使用された場合の、in vitroにおけるpH測定のための本発明の好ましい方法のうちの１つの有効性をチェックした。図１１に、３１２°K及び７．０５TにおけるＥｕ−ＤＯＴＡＭ−Ｇｌｙの３０mM溶液に関するレシオメトリックプロット（配位水プロトンに対するアミドプロトン）のpH依存性を報告する。
【００８８】
その実験は、この錯体のために先に報告したのと同じ印加のモダリティ（選択ｅ−ｂｕｒｐパルス）を２秒間２つの可動プロトンのプールに印加することにより実施された。
【００８９】
図１１に報告されたデータは、この方法の感受性が、図９に報告されたデータに比して極めて有意に縮小した場合ですら、pH依存性が維持されることを示唆している。その理由は、主として、Ｅｕ（III）−ＤＯＴＡＭ−Ｇｌｙ錯体のアミドプロトンに関するＳＴ効果のより低い効率による。
【００９０】
ＳＴ効果のpH依存性は、［Ｙｂ−Ｅｕ（ｂｉｓＤＯＴＡＭ−Ｇｌｙ）］誘導体（３０mM、３１２K、印加力２５μT、印加時間４s）に関しても評価され、その結果は、レシオメトリックプロット（Ｙｂ（III）のアミドプロトン対Ｅｕ（III）の金属結合水プロトン）の形態で、図１２に示される。二量体の溶液のpHに対するレシオメトリックプロットの感受性は、Ｅｕ（III）−ＤＯＴＡＭＧｌｙとＹｂ（III）−ＤＯＴＡＭＧｌｙとの混合物（図９）より低い。この差は、二量体のより低いＫconc値（１対１．２５）によるものである可能性が高い。にも関わらず、二量体の感度は、単一Ｅｕ（III）−ＤＯＴＡＭＧｌｙ錯体（図１１）が使用された場合に観察されたものより高い。
【００９１】
温度応答性ＣＥＳＴ剤
任意の可動プロトンの交換速度は、温度依存性である。
【００９２】
温度も、常磁性金属によって誘導された交換プロトンの化学シフト値及び水信号のＴ1値に影響を与え得る。このことに基づき、キレート配位子が少なくとも１つの可動プロトンを含んでいる任意の常磁性錯体が、本発明の方法による温度応答性ＣＥＳＴ剤として有利に使用され得る。
【００９３】
混合原子価化合物（D.E.Richardson及びH.Taube Coord.Chem.Rev.1984,60: 107-129）の場合には、温度変動によって引き起こされる電子スピン配置の変化も、本発明の方法による極めて効率的な温度応答性ＣＥＳＴ剤の取得のために利用され得る。
【００９４】
本発明の方法による温度に対する応答性は、Ｅｕ−ＤＯＴＡＭ−ヒドラジド錯化合物（３０mM；pH７．４）に関してテストされた。飽和移動の温度依存性は、金属中心に配位した可動水プロトンに印加することによりテストされた。その結果を図１３に報告する。本発明の方法による温度に対する応答性は、Ｔｍ（III）−ＤＯＴＡＭ−Ｇｌｙを同じ配位子のＥｕ（III）錯体と共に含有している組成物の使用によってもテストされた。本発明の方法による、Ｔｍ（III）−ＤＯＴＡＭ−Ｇｌｙのアミドプロトン、及びＥｕ（III）錯体に金属配位した水プロトンの印加により、図１３−２に示されるような、満足のゆく結果が得られた。
【００９５】
代謝産物の濃度に対して応答性のＣＥＳＴ剤
特定の代謝産物に対して応答性であるためには、常磁性ＣＥＳＴ剤は、非共有結合的に、かつ可能な限り選択的にそれと相互作用することができなければならず、そしてこの相互作用が、例えば化学シフト、交換速度、バルク水の緩和速度、可動プロトンの数のような飽和移動効率を決定するパラメータの変化を促進するものでなければならない。
【００９６】
本発明の好ましい方法による所定の代謝産物に対する応答性は、ヘプタデンテート（heptadentate）１０−［（３−メトキシフェニル）メチル］−１，４，７，１０−テトラアザシクロドデカン−１，４，７−トリス−［（アミノカルボニル）メチル］キレート配位子（配位子Ｇ）のＹｂ（III）錯体を使用することによりin vitroでテストされた。この常磁性錯体のキレート配位子は、欧州特許出願０１１２４４４０．７に開示されたようにして調製された。このキレートは、３１２°Kにおけるバルク水からの化学シフト間隔が、バルク水信号よりおよそ２９ppm高磁場である、６つの可動アミドプロトンを保持している。この錯体は、キレート錯体の金属中心に配位した水分子を交換することができる配位基を賦与されたいくつかの陰イオン性基質と極めて強く相互作用することができる。
【００９７】
この適用にとって重要な陰イオン性基質には、内因性化合物及び外因性化合物の両方が含まれ得る。
【００９８】
より好ましくは、内因性基質は、ラクタート、シトラート、カルボナート、ホスファート、ピルバート、天然アミノ酸、オキサラート、タルトラート、スクシナート、コリン、クレアチン、アセタート及びマロナートからなる群より選択される。
【００９９】
さらに好ましくは、基質は、ヒト代謝産物であり、ラクタート、シトラート、カルボナート及びホスファートが最も好ましい。
【０１００】
さらに、本発明の方法にとって重要な基質分子は、外因性物質であってもよく、ここで、外因性という用語は、本明細書において使用されるように、常磁性錯体との適切な結合を可能にするために最終的に修飾される、薬理学的又は診断的に重要な任意の物質をさす。
【０１０１】
非制限的な代表例として、本発明者は、Ｌ−ラクタートを考慮した。
【０１０２】
金属錯体とＬ−ラクタートとの間の親和定数は、Ｇｄ（III）錯体に対して実施されたリラキソメトリック（relaxometric）測定によって評価された（２９８°K及びpH６．５においておよそ３０００のＫA）。ＮＭＲ周波数の時間尺度において、遊離Ｙｂ（III）錯体とラクタート結合Ｙｂ（III）錯体との間の交換は遅い。従って、金属錯体の２つの型の可動アミドプロトンの異なる共鳴（遊離型及び結合型についてそれぞれ２９ppm及び１５ppmのΔω）は、1Ｈ−ＮＭＲスペクトルにおける生理学的条件（３１２°K及びpH７．４）において検出され得る。
【０１０３】
ＣＥＳＴ剤の２つの型に対応する信号は、それらの選択印加を可能にするために十分に離れている。ヘプタデンテート１０−［（３−メトキシフェニル）メチル］−１，４，７，１０−テトラアザシクロドデカン−１，４，７−トリス−［（アミノカルボニル）メチル］キレート配位子のＹｂ（III）錯体の９．３mM溶液中の遊離アミドプロトンの印加によって促進されたＳＴ効果のＬ−ラクタート濃度に対する依存性は、図１４に示される（７．０５T、pH７．４、３１２K、印加力１０５０Hz、印加時間６s）。
【０１０４】
興味深いことに、ＳＴ効率は、診断的に有意義なラクタート濃度（０〜１０mM）の範囲において著しい依存性を示す。
【０１０５】
この結果は、０〜１０mMの範囲の異なる濃度のＬ−ラクタートの溶液からなるファントムのＰＤＷ  1Ｈ−ＭＲ画像（２９８K、pH７．４、７．０５T）を記録することにより確認された（図１５）。
【０１０６】
ＣＥＳＴ剤の濃度に対するＳＴ効果の非依存性は、例えばＹｂ−Ｇ単位及びＥｕ−ＤＯＴＡＭ−Ｇｌｙ単位を含む二量体錯化合物の使用により、この発明に従い達成され得る。
【０１０７】
Ｏ2の分圧に対して応答性のＣＥＳＴ剤
配位子ＧのＣｏ（II）高スピンキレート化錯体は、本発明の方法において使用するためのＯ2の分圧に対して応答性の常磁性ＣＥＳＴ剤の一例を表す。
【０１０８】
以下のスキーム：
【化１７】
2010088901.tif 000016
に従い、Ｏ2は、Ｃｏ（II）高スピン錯体を、Ｃｏ（III）低スピン反磁性錯体へと転換させることができ、これは、錯化合物の金属中心に配位した交換可能アミドプロトンの印加時のＣＥＳＴ効果の相当の縮小をもたらす。
【０１０９】
媒体の酸化還元電位に対して応答性のＣＥＳＴ剤のもう１つの例として、配位子ＬのＬｎ（III）錯体が調製された。
【０１１０】
これらの配位子は、酸化還元電位がin vivoに存在するものと極めて近い（およそ０．８Ｖ）、酸化還元スイッチとして機能するジフェニルアミン置換基を含有している。
【０１１１】
Ｏ2の分圧に対して感受性のＣＥＳＴ剤の第三の例は、配位子ＭのＣｏ錯体により表される。Ｃｏ−Ｇ錯体と同様に、この系の応答性は、常磁性高スピンＣｏ（II）型と反磁性低スピンＣｏ（III）化合物との間の酸化還元平衡による。その他の例とは異なり、この場合には、ＳＴ効果は錯体のアミンプロトンの印加により測定される。
【０１１２】
Ｏ2の分圧に対するＳＴ効果の依存性は、Ｅｕ（III）錯体内の金属結合水プロトン又はその他のＬｎ（III）キレートのアミドプロトンの周波数共鳴のいずれかの印加により観察され得る。ＳＴ効果の濃度非依存性は、単一錯体（Ｅｕ（III）−Ｌキレート）、Ｅｕ（III）−Ｌ化合物とＹｂ（III）−Ｌ化合物との混合物を使用することにより、又はＥｕ（III）イオンを含有しているＤＯＴＡＭ−Ｇｌｙ単位に連結された酸化還元感受性単位（例えば、Ｙｂ（III）−Ｌ錯体、Ｃｏ−Ｇ錯体又はＣｏ−Ｍ錯体）によって構成された二量体の使用により、本発明に従い、入手され得る。
【図面の簡単な説明】
【０１１３】
【図１】Ｄ2０（上）及びＨ2０（下）におけるＹｂ−ＤＯＴＡＭ−Ｇｌｙの1Ｈ−ＮＭＲスペクトル（７．０５T、２９８K及びpH７）。
【図２】Ｌｎ−ＤＯＴＡＭ−Ｇｌｙキレートに関するアミドＮ−Ｈプロトンとバルク水との間の化学シフト間隔（Δω（ppm））（７．０５T、３１２K）。
【図３】ＤＯＴＡＭ−ＧｌｙのＤｙキレート（３０mM、下向き三角）、Ｈｏキレート（３０mM、上向き三角）、Ｅｒキレート（４０mM、菱形）、Ｔｍキレート（４０mM、丸）及びＹｂキレート（３０mM、四角）に関する印加時間（印加力２５μT）に対する飽和移動の依存性（Ｂ0＝７．０５T、３１２K、pH８．１）。
【図４】pH８．１のＹｂ−ＤＯＴＡＭ−Ｇｌｙの３０mM溶液のＣＥＳＴスペクトル（Ｂ0＝７．０５T、３１２K、印加時間４s、印加力２５μT）。
【図５】Ｅｕ−ＤＯＴＡＭ−ヒドラジドに配位した可動水プロトンの印加によって生じるpH依存性（３０mM；pH７．４、Ｂ0＝７．０５T、３１２K、印加時間２s、印加力１５．７μT）。
【図６】Ｙｂ−配位子Ｇの２０mM溶液に関する飽和移動効果のpH依存性（Ｂ0＝７．０５T、３１２K、印加力２５μT、印加時間４s）。
【図６−２】Ｙｂ−ＤＯＴＡＭ−Ｇｌｙの３０mM溶液に関する飽和移動効果のpH依存性（Ｂ0＝７．０５T、３１２K、印加力２５μT、印加時間４s）。
【図７】pH域５．４〜８．４のＹｂ−ＤＯＴＡＭ−Ｇｌｙ（３０mM）の４つのバイアルを含有しているファントムの７．０５T  ＰＤＷスピンエコー像。バイアルを、３０mMのＹｂ（III）アクアイオン（aqua-ion）を含有している水に浸漬した（２９８K、印加時間４s）。画像は、２つのＰＤＷ画像（ＴＲ＝３．０４s；ＴＥ＝１８．３ms）の間の差であり、プレサチュレーションパルスは、まず、アミドプロトン（バルク水から−４７９４Hz）を中心とし、次いで対称的にオフレゾナンス（バルク水から４７９４Hz）を中心とした。
【図８】pH８．１の１６mMのＥｕ−ＤＯＴＡＭ−Ｇｌｙ及び２０mMのＹｂ−ＤＯＴＡＭ−Ｇｌｙを含有している溶液のＣＥＳＴスペクトル（Ｂ0＝７．０５T、３１２K、印加時間４s、印加力２５μT）。
【図９】レシオメトリック法の活用によって生じたpH依存性（Ｅｕ−ＤＯＴＡＭ−Ｇｌｙ濃度１０mM及びＹｂ−ＤＯＴＡＭ−Ｇｌｙ濃度１２．５mM；７．０５T、３１２K、印加時間４s、印加力２５μT）。エラーバーは、５回の独立の測定の標準偏差を示す。
【図１０】１０mMのＥｕ−ＤＯＴＡＭ−Ｇｌｙ及び１２．５mMのＹｂ−ＤＯＴＡＭ−Ｇｌｙを含有している溶液に関するＳＴ効果のpH依存性（７．０５T、３１２K、印加時間４s、印加力２５μT）。四角は、Ｙｂ（III）錯体のアミドプロトンの印加に関し、丸は、Ｅｕ（III）キレート内の配位水プロトンの印加に対応する。
【図１１】Ｅｕ−ＤＯＴＡＭ−Ｇｌｙの３０mM溶液のレシオメトリック法の活用によって生じたpH依存性（７．０５T、３１２K、印加時間２s）。飽和は、アミドプロトンについては２７０°ｅ−ｂｕｒｐ１パルスの列（各２０ms、力１．２μT）を使用し、金属結合水プロトンについては９０°ｅ−ｂｕｒｐ１パルスの列（各１ms、力１５．７μT）を使用することにより達成された。
【図１２】Ｙｂ−Ｅｕ−ｂｉｓＤＯＴＡＭ−Ｇｌｙ二量体に関するレシオメトリック法の活用によって生じたpH依存性（薬剤濃度３０mM、Ｂ0＝７．０５T、３１２K、印加時間４s、印加力２５μT）。
【図１３】Ｅｕ−ＤＯＴＡＭ−ヒドラジドに配位した可動水プロトンの印加によって生じた温度依存性（３０mM；pH７．４、Ｂ0＝７．０５T、３１２K、印加時間２s、印加力１５．７μT）。
【図１３−２】レシオメトリック法の活用によって生じた温度依存性（Ｅｕ−ＤＯＴＡＭ−Ｇｌｙ＝１４mM、Ｔｍ−ＤＯＴＡＭ−Ｇｌｙ＝１４mM；７．０５T、pH７．４、印加時間４s、印加力２５μT）。
【図１４】バルク水プロトンから−２９ppmにおける遊離キレートのアミドプロトンに印加することにより測定された１０−［（３−メトキシフェニル）メチル］−１，４，７，１０−テトラアザシクロドデカン−１，４，７−トリス−［（アミノカルボニル）メチル］キレート配位子のＹｂ（III）錯体の９．３mM溶液のＳＴ効果のＬ−ラクタート濃度に対する依存性（７．０５T、３１２K、pH７．４、印加時間４s、印加力１０５０Hz）。
【図１５】０〜１０mM域の異なるＬ−ラクタート濃度を含有しているＹｂ−配位子Ｇ（９．３mM）の４つのバイアルを含有しているファントムの７．０５T  ＰＤＷスピンエコー像。画像は、２つのＰＤＷ画像の間の差であり、サチュレーションパルスは、まず、遊離錯体のアミドプロトン（バルク水から−８７００Hz）を中心とし、次いで対称的にオフレゾナンス（バルク水から８７００Hz）を中心とした。
【０１１４】
実施例
本発明の化合物の調製は、当業者に周知の手順及び合成工程に従って実施された。非制限的な例が以下に含まれる。
【０１１５】
１，４，７，１０−テトラアザシクロドデカン−１，４，７，１０−酢酸テトラグリシンアミド（ＤＯＴＡＭ−Ｇｌｙ）の調製：
【化１８】
2010088901.tif 000017
このキレート配位子は、以下の工程に従い合成した。
【０１１６】
ａ）対応するテトラエチルエステル誘導体を得るための、塩基としての０．３モルのＫ2ＣＯ3の存在下でのＮ−（２−ブロモエタノイル）エチルグリシナート（０．３モル）によるＴＡＺＡ（ＴＡＺＡ＝１，３，５，７−テトラアザシクロドデカン、０．０７５モル）の徹底的なアルキル化
この反応を、アセトニトリル中で７０℃で６時間加熱することにより実施した。ろ過による未溶解材料の除去の後、単に溶媒を蒸発させることにより生成物が得られた（収率：９１．４％）。
【０１１７】
Ｎ−（２−ブロモエタノイル）エチルグリシナートは、発表されている手順に従い合成した（Kataki Rら J Chem Soc Perkin Trans 2 1992; 8: 1347-1351）。
【０１１８】
ｂ）調節されたテトラエチルエステルのけん化及び所望のテトラカルボン酸の単離
テトラエステルのけん化を、６０℃で、エタノール／水（１：１）溶液２００mL中で実施した。ほぼ４５’、溶液のpHを一定（pH１１）に維持するために、ＮａＯＨ  １Ｎ（２３２mL）を添加した。その反応は、１時間の加熱の後に完了した。得られた橙色の溶液を冷却し、ＨＣｌによりpH２．２に酸性化した。液体クロマトグラフィー（固相：アンバーライト（Amberlite）（登録商標）ＸＡＤ−１６００；溶出剤：水）によって、そのような溶液からＤＯＴＡＭ−Ｇｌｙ配位子を分離した（収率：８８％）。その配位子を、ＭＡＬＤＩ−ＴＯＦ質量分析によって特徴測定した（Ｃ32Ｈ40Ｎ8Ｏ12に関する計算値６３２．６３amu；実測値６３３．５５（ＭＨ＋））。
【０１１９】
Ｌｎ（III）錯体の合成
Ｌｎ（III）−ＤＯＴＡＭ−Ｇｌｙ錯体は、水（室温、pH８、３０’）１０mL中で、等モル量（０．３mmol）の配位子と対応するＬｎ（III）塩化物とを混合することにより調製した。回収されたキレート錯体を、1Ｈ−ＮＭＲスペクトルによって特徴測定した。回収されたデータは、予想された構造と一致していた。
【０１２０】
配位子Ｂ（ＤＯＴＡＭ−Ｇｌｙ）の調製
この合成を以下の工程によって実施した。
−  Ｎ−（ベンジル−オキシカルボニル）−Ｎ’−（ブロモアセチル）ヒドラジンの合成（ジクロロ−メタン、０℃）
【化１９】
2010088901.tif 000018
−  １，４，７，１０−テトラ｛２−［Ｎ’−（ベンジル−オキシ−カルボニル）ヒドラジノ］−２−オキソ−エチル｝−１，４，７，１０−テトラアザシクロドデカンの合成（アセトニトリル、室温）
【化２０】
2010088901.tif 000019
−  配位子Ｂの合成（メタノール、室温）
【化２１】
2010088901.tif 000020
【０１２１】
配位子Ｃの調製
主要な工程には、以下のものが含まれる。
−  １−（４−ニトロフェニル）−１，４，７，１０−テトラアザシクロドデカンの合成（アセトニトリル／水  １０：１、６０℃）
【化２２】
2010088901.tif 000021
−  １−（４−ニトロフェニル）−１，４，７，１０−テトラアザシクロドデカン−１，４，７−トリス−アセトアミドの合成（アセトニトリル、室温）
【化２３】
2010088901.tif 000022
【０１２２】
二量体キレート化錯体［Ｅｕ−Ｙｂ（ｂｉｓＤＯＴＡＭＧＬｙ）］の調製
【化２４】
2010088901.tif 000023
全体的な調製は、以下に図式化された手順に従い実施した。
【化２５】
2010088901.tif 000024
2010088901.tif 000025
【０１２３】
当業者であれば、上記のスキームの使用によって、そしてキレート単位又はキレート化金属イオンを適切に変化させることによって、本発明の方法による任意の二量体造影剤が容易に入手され得ることを理解するであろう。
【０１２４】
ＮＭＲ法
高分解能作業を、７．０５Tで作動するブルカーアバンス（Bruker Avance）３００分光計で実施した。
【０１２５】
飽和移動実験は、連続波プレサチュレーションスクエアパルス（１０５０Hzの力）を試料に印加することにより、又は適切なｅ−ｂｕｒｐ１選択パルス列を使用することにより、３１２°Kで実施した。４回のスキャン及び４回のダミースキャンを、全ての実験に使用した。
【０１２６】
ＮＭＲ画像法は、アクティブシールド型グラジエント３００mT/mを有する７．０５Tブルカーファーマスキャン（Bruker PharmaScan）を使用し、パラビジョン（ParaVison）２．１．１ソフトウェアを実行して実施した。標準的なＰＤＷ（プロトン密度強調画像）を、ＳＥ（スピンエコー）イメージング系列を使用して（Hermite形の９０°及び１８０°のパルスを使用して）入手した。ＮＭＲ画像で採用したパラメータは、（ＴＲ／ＴＥ／ＮＥ＝３．０s／１８．３ms／１）；ＦＯＶ（視野）３０×３０mm2；スライス厚２mm及び画像マトリックス２５６×２５６ポイントであった。２．２５ワットの正方形のサチュレーションパルスを、スピンエコー系列のプレディレイ（pre-delay）において４秒間適用した。２つの画像を取得した（一方はバルク水プロトンから−４７９４Hzにおけるアミドプロトンの飽和により、他方は４７９４Hzにおけるｒｆ印加オフセットにより）。
【図１】
2010088901.tif 000029
【図２】
2010088901.tif 000030
【図３】
2010088901.tif 000031
【図４】
2010088901.tif 000032
【図５】
2010088901.tif 000033
【図６】
2010088901.tif 000034
【図６−２】
2010088901.tif 000035
【図７】
2010088901.tif 000036
【図８】
2010088901.tif 000037
【図９】
2010088901.tif 000038
【図１０】
2010088901.tif 000039
【図１１】
2010088901.tif 000040
【図１２】
2010088901.tif 000041
【図１３】
2010088901.tif 000042
【図１３−２】
2010088901.tif 000043
【図１４】
2010088901.tif 000044
【図１５】
2010088901.tif 000045
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
応答性常磁性ＣＥＳＴ造影剤として、水媒体プロトンとの化学交換における磁気的に非等価な可動プロトンのプールを少なくとも２つ賦与された単一の常磁性キレート化錯体又はその薬学的に許容しうる塩を、生理学的に容認される担体と共に含む、ヒト又は動物の身体器官、体液又は組織における、温度、pH、代謝産物濃度、Ｏ2又はＣＯ2の分圧及び酵素活性より選択される、診断的に重要な物理学的又は化学的なパラメータのin vivo、in vitro又はex vivo測定のためのＣＥＳＴに基づくＭＲＩ手順での使用のための医薬組成物
〔ここで、常磁性キレート化錯体が、プラセオジム（III）、ネオジム（III）、ジスプロシウム（III）、エルビウム（III）、テルビウム（III）、ホルミウム（III）、ツリウム（III）、イッテルビウム（III）及びユーロピウム（III）からなる群より選択される２つの異なるＬｎ（III）金属イオンとキレート化した、同一であってもよいし又は異なっていてもよい２つのキレート単位を含む二量体性キレート配位子を含む〕。
【請求項２】
常磁性キレート化錯体が、［Ｅｕ−Ｙｂ（ｂｉｓＤＯＴＡＭＧｌｙ）］である、請求項１の医薬組成物。
【請求項３】
（ｂｉｓＤＯＴＡＭＧｌｙ）二量体性キレート配位子、並びにプラセオジム（III）、ネオジム（III）、ジスプロシウム（III）、エルビウム（III）、テルビウム（III）、ホルミウム（III）、ツリウム（III）、イッテルビウム（III）及びユーロピウム（III）からなる群より選択された２つの遷移金属イオン又はＬｎ（III）金属イオンとのそのキレート化錯体、並びにそれらの生理学的に許容される塩の中で選択される化合物。
【外国語明細書】
1. Title of the Invention
2010088901.tif 000046
2. Detailed Description of the Invention
2010088901.tif 000047
2010088901.tif 000048
2010088901.tif 000049
2010088901.tif 000050
2010088901.tif 000051
2010088901.tif 000052
2010088901.tif 000053
2010088901.tif 000054
2010088901.tif 000055
2010088901.tif 000056
2010088901.tif 000057
2010088901.tif 000058
2010088901.tif 000059
2010088901.tif 000060
2010088901.tif 000061
2010088901.tif 000062
2010088901.tif 000063
2010088901.tif 000064
2010088901.tif 000065
2010088901.tif 000066
2010088901.tif 000067
2010088901.tif 000068
2010088901.tif 000069
2010088901.tif 000070
2010088901.tif 000071
2010088901.tif 000072
2010088901.tif 000073
2010088901.tif 000074
2010088901.tif 000075
2010088901.tif 000076
2010088901.tif 000077
2010088901.tif 000078
2010088901.tif 000079
2010088901.tif 000080
2010088901.tif 000081
2010088901.tif 000082
2010088901.tif 000083
2010088901.tif 000084
2010088901.tif 000085
1. Claims
2010088901.tif 000086
2010088901.tif 000087
2010088901.tif 000088
2010088901.tif 000089
2010088901.tif 000090
2010088901.tif 000091
1. Abstract
2010088901.tif 000092
2. Representative Drawing
None
Fig. 1
2010088901.tif 000093
Fig. 2
2010088901.tif 000094
Fig. 3
2010088901.tif 000095
Fig. 4
2010088901.tif 000096
Fig. 5
2010088901.tif 000097
Fig. 6
2010088901.tif 000098
Fig. 6 Bis
2010088901.tif 000099
Fig. 7
2010088901.tif 000100
Fig. 8
2010088901.tif 000101
Fig. 9
2010088901.tif 000102
Fig. 10
2010088901.tif 000103
Fig. 11
2010088901.tif 000104
Fig. 12
2010088901.tif 000105
Fig. 13
2010088901.tif 000106
Fig. 13 Bis
2010088901.tif 000107
Fig. 14
2010088901.tif 000108
Fig. 15
2010088901.tif 000109